(57)【要約】      （修正有）【課題】サポーター表面に簡単に伸度抑制パターンを固定できるサポーターを提供する。【解決手段】身体用サポーター１は、縦・横両方向に伸縮性に富むサポーター生地の表面に、熱融着性の熱転写用樹脂からなるＶ字形状の伸度抑制パターン２を１又は２以上を組み合わせてサポーター生地表面に熱転写して固定させたことを特徴とする。【選択図】図１
0003214806.tif 000002
【実用新案登録請求の範囲】
【請求項１】
縦・横両方向に伸縮性に富むサポーター生地の表面に、熱融着性の熱転写用樹脂からなる伸度抑制パターンを、伸度抑制を必要とするサポーター生地表面に熱転写して固定させたことを特徴とする身体用サポーター。
【請求項２】
熱転写用樹脂からなる伸度抑制パターンは、糸による縫製や接着ではなく、樹脂の熱融着性により熱加工のみで固定される請求項１記載の身体用サポーター。
【請求項３】
伸度抑制パターンがV字状形状で、上記箇所に接するサポーターの上に１又は２以上を組み合わせて熱転写して固定された請求項１又は請求項２記載の身体用サポーター。
【考案の詳細な説明】
【技術分野】
【０００１】
本考案は、身体用サポーターに関するものである。
【背景技術】
【０００２】
ここで、身体用サポーターとは、スポーツを行う際や一般生活に着用されるサポーターである。
【０００３】
スポーツを行う際や一般生活では身体を色々な方向に動かすため筋肉や関節を的確にサポートすることが必要である。
【０００４】
従来の身体用サポーターにおいては、編み立てによるニット生地の伸縮を利用したサポーターや生地の組み合わせによるカットソーパターンを利用したサポーターで身体の動きにフィットしながらサポート機能を有するものが一般的である。
【０００５】
しかし、編み立てよるニット生地の伸縮を利用したサポーター、生地の組み合わせによるカットソーパターンを利用したサポーター何れのサポーターについても身体の動きに追従しきれず、且つ的確にサポートが必要な部分をサポートしきれないために製品使用と共にズレが生じてしまうというデメリットがある。
【０００６】
そこで身体用サポーターではあらゆる身体の動きに追従する高い本体伸縮性と部位ごとに的確にサポートするための方法が構築されているものが求められる。
【０００７】
これらの課題を解決するために、第１文献の特開２０１３−９１８８１には「伸縮性を有する素材で構成された本体部と、前記本体部に設けられ、前記本体部よりも伸縮性が低く、着用者の皮膚の伸びる伸長方向に直交する方向に延在する低伸縮部とを備えたサポーター」が提案されている。
【０００８】
また、第２文献の特開２０１３−１１６２６５には「伸縮性を有する素材で構成された筒状の本体部と、前記本体部に設けられ、前記本体部よりも伸縮度が低く、前記本体部の着用時のずれを抑制する環状の固定部と、前記本体部に設けられ、前記本体部よりも伸縮性が低く、前記固定部から前記本体部の一方端に向かって延びる第１緊諦部と前記本体部よりも伸縮性が低く、前記固定部から前記本体部の他方端に向かって延びる第２緊諦部とを備えるサポーター」が提案されている。
【０００９】
更に、第３文献の特開２０１６−４７９６８には「膝用サポーター本体の側面の上端に伸縮性の膝伸展制限ベルトを固定し、サポーター本体の側面にコイルボーンを付けた膝伸展制限用サポーター」が提案されている。
【先行技術文献】
【特許文献】
【００１０】
【特許文献１】特開２０１３−９１８８１
【特許文献２】特開２０１３−１１６２６５
【特許文献３】特開２０１６−４７９６８
【考案の概要】
【考案が解決しようとする課題】
【００１１】
しかし、第１文献では低伸縮部を例えばナイロン製、裏側をポリエステル製の糸縫い部で構成し、これをクロロプレンゴム製のサポーター本体部に糸により逢着或いは接着等の手段により固定するなどの面倒な作業が必要である。
【００１２】
また、伸縮性のサポーター本体部と低伸縮部とは、馴染みがたく、貼り付け等により固定するにしても両者を充分に接合させることは困難である。
【００１３】
第２文献では、伸縮性の低い固定部は伸縮性ある本体部に編み込む、織り込む等の手段により固定するなど面倒な作業が必要である。
【００１４】
第３文献では、伸縮性の膝伸展制限ベルトはファスナーを介してサポーター本体に接合されているに過ぎず、両者は充分に接合されているものではない。
【課題を解決するための手段】
【００１５】
そこで、本考案は縦・横両方向に伸縮性に富むサポーター生地の表面に、熱融着性の熱転写用樹脂からなる伸度抑制パターンをサポーター生地表面に熱転写して固定させたことを特徴とする身体用サポーターを提案するものである。
【００１６】
即ち、本考案において熱転写用樹脂からなる伸度抑制パターンは、糸による縫製や接着ではなく、樹脂の熱融着性により熱加工のみで固定されるのである。
【００１７】
本考案で使用される縦・横両方向に伸縮性に富むサポーター生地としては主素材となるウール・レーヨン・ポリエステル・ナイロン等の素材にポリウレタンや
天然ゴムなどの弾性体を組み合わせて身体用サポーターとして構築したもの、或いはポリエステルやナイロンに弾性体であるポリウレタンを編み込んだ伸縮性の高
い生地を裁断し、生地の組み合わせによるカットソーパターンを利用したサポーター生地等を挙げることができる。
【００１８】
また、熱融着性の熱転写樹脂としては、水性顔料・油性顔料とウレタン系樹脂やポリウレタン系ホットメルト等を挙げることができる。
【００１９】
更に、本考案は編み立てによるニット生地の伸縮を利用したサポーターや生地の組み合わせによるカットソーパターンを利用したサポーター何れのサポーターに適用することができる。                                                   
【００２０】
なお、伸度抑制パターンとしては、棒状・球状・多角形状等任意の形状を挙げることができるが、本願考案者の行った身体の手のひら、ひじ、足首、ふくらはぎ、肩、大腿、ひざについて、筋肉や関節の動きについての実験結果によれば、これらの動きを的確にサポートするために、伸度抑制パターンの形状としてV字状形状が好ましい。
【考案の効果】
【００２１】
したがって、本考案によれば、サポーター生地の表面に、熱融着性の熱転写用樹脂からなる伸度抑制パターンをサポーター生地表面に熱転写して固定させるために、サポーター表面に簡単に伸度抑制パターンを形成できる。
【００２２】
本考案によれば、伸度抑制パターンは熱融着性の熱転写用樹脂から構成されており、熱転写後はサポーター生地と一体化してサポーター生地の伸縮性を抑制する。したがって、熱転写された伸度抑制パターンによりサポーター本体のもつ縦・横両方向の伸縮性と相反する箇所を設けることで、身体用サポーターに必要な固定と伸縮性の両立を図ることができる。
【図面の簡単な説明】
【００２３】
【図１】本考案の身体用サポーターの正面図
【図２】本考案の身体用サポーターの熱転写樹脂による熱加工を施した断面図
【図３】本考案に係わる伸度抑制パターンの各部位（手のひら、ひじ、足首、ふくらはぎ）への適用例を示す図
【図４】本考案に係わる伸度抑制パターンの他の各部位（肩、大腿、ひざ）への適用例を示す図
【図５】伸度抑制パターンを切り抜いた状態の熱転写用生地本体正面図
【考案を実施するための形態】
【００２４】
編み立てによるニット生地の伸縮を利用したサポーターや生地の組み合わせによるカットソーパターンを利用したサポーターで縦・横両方向に伸縮性に富むサポーター生地の表面に、熱融着性の熱転写用樹脂からなるV字形状の伸度抑制パターンを１又は２以上を組み合わせてサポーター生地表面に熱転写して固定させたことを特徴とする身体用サポーター。
【実施例１】
【００２５】
図１は、縦・横両方向の伸縮性を有するサポーター生地の表面に熱転写用樹脂からなる伸度抑制パターンを熱転写して固定させた身体用サポーターである。
【００２６】
１は膝用サポーター、２はV字状形状の伸度抑制パターンである。
【００２７】
膝用サポーター１は、縦・横両方向に伸縮性に富む主素材となるウール・レーヨン・ポリエステル・ナイロン等の素材にポリウレタンや天然ゴムなどの弾性体
を組み合わせて構成したり、或いはポリエステルやナイロンに弾性体であるポリウレタンを編み込んだ伸縮性の高い生地を裁断し、生地の組み合わせによるカット
ソーパターンを利用した生地等で構成される。
【００２８】
V字状形状の伸度抑制パターン２は、水性顔料・油性顔料とウレタン樹脂やポリウレタン系ホットメルト等の熱融着性の熱転写樹脂で構成される。
【００２９】
この実施例では二組の伸度抑制パターン２，２はV字状形状の開口部で膝部を挟むように配置される。
【００３０】
図３、図４は本考案に係わる伸度抑制パターンの各部位の適用例を示すもので、手のひら、ひじ、足首、ふくらはぎ、肩では伸度抑制パターン単独での適用例、大腿、ひざは伸度抑制パターンの２組を組み合わせた適用例である。
【産業上の利用可能性】
【００３１】
以上要するに、本考案によれば、サポーター表面に簡単に伸度抑制パターンを固定でき、且つサポーター本体のもつ縦・横両方向の伸縮性と相反する伸度抑制をする箇所を設けることで、身体用サポーターに必要な固定と伸縮性の両立を図ることができる。
【符号の説明】
【００３２】
１は身体用サポーター本体
２は熱転写用樹脂で構成される伸度抑制パターン
【図１】
0003214806.tif 000003
【図２】
0003214806.tif 000004
【図３】
0003214806.tif 000005
【図４】
0003214806.tif 000006
【図５】
0003214806.tif 000007
【手続補正書】
【提出日】平成29年11月30日(2017.11.30)
【手続補正１】
【補正対象書類名】実用新案登録請求の範囲
【補正対象項目名】全文
【補正方法】変更
【補正の内容】
【実用新案登録請求の範囲】
【請求項１】
縦・横両方向に伸縮性に富むサポーター生地の表面に、熱融着性の熱転写用樹脂からなる伸度抑制パターンを、伸度抑制を必要とするサポーター生地表面に熱転写して固定させたことを特徴とする身体用サポーター。
【請求項２】
熱転写用樹脂からなる伸度抑制パターンは、糸による縫製や接着ではなく、樹脂の熱融着性により熱加工のみで固定される請求項１記載の身体用サポーター。
【請求項３】
伸度抑制パターンがV字状形状で、伸度抑制を必要とするサポーター生地表面に１又は２以上を組み合わせて熱転写して固定された請求項１又は請求項２記載の身体用サポーター。